(57)【要約】【課題】建物の躯体部にランナーを安定的に固定することのできるランナー固定構造、固定ユニットおよび固定補助具を提供する。【解決手段】ランナー固定具は、建物の躯体部にランナーを固定するために、ランナー（３４）の一対の側壁（３４１，３４２）の端部をそれぞれ外側から把持するように、端縁部が内側に折り返された一対の把持部（７１０，７３０）を含む。固定補助具（９）は、ランナー固定具からのランナーの離脱を防止するために、ランナー固定具の配置位置においてランナー（３４）上に配置され、ランナー固定具の一対の把持部（７１０，７３０）に抱え込まれる一対の係合部（９１０，９２０）を含む。【選択図】図１１
2015040428.tif 000002
【特許請求の範囲】
【請求項１】
乾式壁に用いられるランナーを建物の躯体部に固定するための固定構造であって、
隣り合う第１空間および第２空間を仕切る仕切り面に沿って間隔を置いて配置され、縦方向に延びる複数のスタッドと、
前記仕切り面に沿って延び、前記複数のスタッドの軸方向端部を抱え込むように配置され、一対の側壁および底壁を含むランナーと、
建物の躯体部に前記ランナーを固定するために、前記ランナーの一対の側壁の端部をそれぞれ外側から把持するように、縁部が内側に折り返された一対の把持部を含むランナー固定具と、
前記ランナー固定具の配置位置において前記ランナー上に配置され、前記ランナー固定具の一対の把持部に抱え込まれる一対の係合部を含み、前記ランナー固定具からの前記ランナーの離脱を防止するための固定補助具とを備える、ランナー固定構造。
【請求項２】
前記固定補助具は、Ｕ字状断面を有しており、前記ランナーの底壁に沿って位置する底壁部と、前記ランナーの一対の側壁の内面に沿って位置する一対の側壁部とを含み、
前記側壁部の上端部が、前記係合部を構成する、請求項１に記載のランナー固定構造。
【請求項３】
前記固定補助具の底壁部の裏面には、前記ランナーの底壁に当接するバネ部材が設けられており、
前記バネ部材は、前記固定補助具を前記ランナーから遠ざける方向に付勢して、前記ランナー固定具の一対の把持部と前記固定補助具の一対の係合部との係合状態を維持する、請求項２に記載のランナー固定構造。
【請求項４】
前記固定補助具は、前記一対の側壁部と前記底壁部の両縁との間に設けられた傾斜壁をさらに含む、請求項２に記載のランナー固定構造。
【請求項５】
前記固定補助具の各側壁部は、その上端縁が、頂部と、前記頂部から下方へ向かって傾斜する傾斜部とを含む形状を有している、請求項４に記載のランナー固定構造。
【請求項６】
前記固定補助具は、Ｕ字状断面を有しており、前記ランナーの一対の側壁と直交するように配置される底壁部と、前記ランナーの一対の側壁の内面に沿って位置する一対の側壁部とを含み、
前記側壁部の側縁部が、前記係合部を構成する、請求項１に記載のランナー固定構造。
【請求項７】
前記固定補助具の両側壁部には、前記ランナーの側壁に弾性的に接する板バネ部が設けられている、請求項６に記載のランナー固定構造。
【請求項８】
前記固定補助具は、Ｕ字状断面を有しており、前記ランナーの一対の側壁と直交するように配置される底壁部と、前記ランナーの底壁上に位置する一方の側壁部と、前記一方の側壁部に対して略平行に配置される他方の側壁部とを含み、
前記他方の側壁部には、前記ランナー固定具の把持部内に嵌合されるように立ち上がる翼状部が設けられ、
前記翼状部が、前記係合部を構成する、請求項１に記載のランナー固定構造。
【請求項９】
前記翼状部には、突出した頂部が設けられ、
前記ランナー固定具の把持部は、前記頂部を受入れて、前記固定補助具の位置決めを行う係合孔を有する、請求項８に記載のランナー固定構造。
【請求項１０】
前記ランナー固定具は、
前記躯体部と前記ランナーとの間に配置される板状部と、
前記板状部に設けられ、前記ランナーを前記板状部から遠ざける方向に付勢する固定バネ部材とをさらに含む、請求項１に記載のランナー固定構造。
【請求項１１】
前記躯体部は、前記建物の梁であり、
前記ランナー固定具は、前記梁のフランジに係止される係止部材をさらに含む、請求項１に記載のランナー固定構造。
【請求項１２】
乾式壁に用いられるランナーを建物の躯体部に固定するためのランナー固定ユニットであって、
前記ランナーの一対の側壁の端部をそれぞれ外側から把持するように、縁部が内側に折り返された一対の把持部を含むランナー固定具と、
前記ランナー固定具の配置位置において前記ランナー上に配置され、前記ランナー固定具の一対の把持部に抱え込まれる一対の係合部を含み、前記ランナー固定具からの前記ランナーの離脱を防止するための固定補助具とを備える、ランナー固定ユニット。
【請求項１３】
ランナー固定具とともに、乾式壁に用いられるランナーを建物の躯体部に固定するために用いられる固定補助具であって、
前記ランナー固定具は、前記ランナーの一対の側壁の端部をそれぞれ外側から把持するように、縁部が内側に折り返された一対の把持部を含んでおり、
前記固定補助具は、前記ランナー固定具からの前記ランナーの離脱を防止するために、前記ランナー固定具の配置位置において前記ランナー上に配置され、前記ランナー固定具の一対の把持部に抱え込まれる一対の係合部を含む、ランナー固定補助具。
【発明の詳細な説明】
【技術分野】
【０００１】
本発明は、ランナー固定構造、固定ユニットおよび固定補助具に関し、特に、乾式壁に用いられるランナーを建物の躯体部に固定するためのランナー固定構造、固定ユニットおよび固定補助具に関する。
【背景技術】
【０００２】
長屋や共同住宅等の界壁には、乾式壁が使用される。乾式壁では、一般的に、基礎部材の一方面側および他方面側に、二層の石膏ボードが固定される。基礎部材は、縦方向に延びる複数のスタッドと、それらの軸方向両端を抱え込むように配置される上下一対のランナーとを含む。たとえば特許第４２４１３２２号公報（特許文献１）では、複数のスタッドを千鳥状に配置することで、遮音性を高めることが開示されている。
【０００３】
一対のランナーは、建物の梁や基礎といった躯体部に固定される。ランナーを建物の梁に固定する場合、特開２０１２−２６０９５号公報（特許文献２）に示されるようなランナー固定金物を用いることで、ボルトレスでランナーを梁に固定することができる。このランナー固定金物は、１つのランナーを支持するための本体部と、梁のフランジを把持する係止部とで構成されている。この本体部は、天面部と、一対の側面部とを含んでおり、天面部には、ランナーを遠ざける方向に付勢するバネ部材が設けられている。また、各側面部の自由端側が内側に折り返されて、ランナーの両側壁の自由端部を支持する端部支持縁が設けられている。
【先行技術文献】
【特許文献】
【０００４】
【特許文献１】特許第４２４１３２２号公報
【特許文献２】特開２０１２−２６０９５号公報
【発明の概要】
【発明が解決しようとする課題】
【０００５】
特許文献２のようなランナー固定具によって、上側のランナーを躯体部に固定する場合、バネ部材はランナーを下方に付勢するため、ランナーの側壁下端部は、ランナー固定具の上記端部支持縁（係合溝）に適切に係合される。
【０００６】
しかしながら、下側のランナーを躯体部に固定する場合には、バネ部材はランナーを上方に付勢するため、ランナーの自重によりバネ部材は下方に押え付けられる。しかも、下側のランナーには、複数のスタッドやそれらに貼り付けられる石膏ボード（面部材）の荷重が加えられるため、バネ部材は押し潰され、ランナーが沈み込んでしまうことがある。このような場合、ランナー固定具からランナーが離脱してしまう恐れがある。
【０００７】
また、上記のようなバネ部材を有さないランナー固定具を用いる場合には、上側のランナーであっても安定的に躯体部に固定することができない。
【０００８】
本発明は、上記のような課題を解決するためになされたものであって、その目的は、建物の躯体部にランナーを安定的に固定することのできるランナー固定構造、固定ユニットおよび固定補助具を提供することである。
【課題を解決するための手段】
【０００９】
この発明のある局面に従うランナー固定構造は、乾式壁に用いられるランナーを建物の躯体部に固定するための固定構造であって、縦方向に延びる複数のスタッドと、ランナーと、ランナー固定具と、固定補助具とを備える。複数のスタッドは、隣り合う第１空間および第２空間を仕切る仕切り面に沿って間隔を置いて配置される。ランナーは、仕切り面に沿って延び、複数のスタッドの軸方向端部を抱え込むように配置され、一対の側壁および底壁を含む。ランナー固定具は、建物の躯体部にランナーを固定するために、ランナーの一対の側壁の上端部をそれぞれ外側から把持するように、縁部が内側に折り返された一対の把持部を含む。固定補助具は、ランナー固定具からのランナーの離脱を防止するために、ランナー固定具の配置位置においてランナー上に配置され、ランナー固定具の一対の把持部に抱え込まれる一対の係合部を含む。
【００１０】
好ましくは、固定補助具は、Ｕ字状断面を有しており、ランナーの底壁に沿って位置する底壁部と、ランナーの一対の側壁の内面に沿って位置する一対の側壁部とを含む。この場合、側壁部の上端部が、上記係合部を構成する。
【００１１】
好ましくは、固定補助具の底壁部の裏面には、ランナーの底壁に当接するバネ部材が設けられている。バネ部材は、固定補助具をランナーから遠ざける方向に付勢して、ランナー固定具の一対の把持部と固定補助具の一対の係合部との係合状態を維持することが望ましい。
【００１２】
また、固定補助具は、一対の側壁部と底壁部の両縁との間に設けられた傾斜壁をさらに含んでいてもよい。
【００１３】
また、固定補助具の各側壁部は、その上端縁が、頂部と、頂部から下方へ向かって傾斜する傾斜部とを含む形状を有していてもよい。
【００１４】
好ましくは、固定補助具は、Ｕ字状断面を有しており、ランナーの一対の側壁と直交するように配置される底壁部と、ランナーの一対の側壁の内面に沿って位置する一対の側壁部とを含む。この場合、側壁部の側縁部が、係合部を構成する。
【００１５】
固定補助具の両側壁部には、ランナーの側壁に弾性的に接する板バネ部が設けられていることが望ましい。
【００１６】
好ましくは、固定補助具は、Ｕ字状断面を有しており、ランナーの一対の側壁と直交するように配置される底壁部と、ランナーの底壁上に位置する一方の側壁部と、一方の側壁部に対して略平行に配置される他方の側壁部とを含む。他方の側壁部には、ランナー固定具の把持部内に嵌合されるように立ち上がる翼状部が設けられる。この場合、翼状部が、係合部を構成する。
【００１７】
翼状部には、突出した頂部が設けられ、ランナー固定具の把持部は、頂部を受入れて、固定補助具の位置決めを行う係合孔を有することが望ましい。
【００１８】
好ましくは、ランナー固定具は、躯体部とランナーとの間に配置される板状部と、板状部に設けられ、ランナーを板状部から遠ざける方向に付勢する固定バネ部材とをさらに含む。
【００１９】
好ましくは、躯体部は、建物の梁である。その場合、ランナー固定具は、梁のフランジに係止される係止部材をさらに含むことが望ましい。
【００２０】
この発明の他の局面に従うランナー固定ユニットは、乾式壁に用いられるランナーを建物の躯体部に固定するためのランナー固定ユニットであって、ランナー固定具と、固定補助具とを備える。ランナー固定具は、ランナーの一対の側壁の端部をそれぞれ外側から把持するように、縁部が内側に折り返された一対の把持部を含む。固定補助具は、ランナー固定具からのランナーの離脱を防止するために、ランナー固定具の配置位置においてランナー上に配置され、ランナー固定具の一対の把持部に抱え込まれる一対の係合部を含む。
【００２１】
この発明のさらに他の局面に従う固定補助具は、ランナー固定具とともに、乾式壁に用いられるランナーを建物の躯体部に固定するために用いられる。ランナー固定具は、ランナーの一対の側壁の端部をそれぞれ外側から把持するように、縁部が内側に折り返された一対の把持部を含んでいる。固定補助具は、ランナー固定具からのランナーの離脱を防止するために、ランナー固定具の配置位置においてランナー上に配置され、ランナー固定具の一対の把持部に抱え込まれる一対の係合部を含む。
【発明の効果】
【００２２】
本発明によれば、建物の躯体部にランナーを安定的に固定することができる。
【図面の簡単な説明】
【００２３】
【図１】本発明の実施の形態に係る乾式壁の構造を示す縦断面図である。
【図２】図１のＩＩ−ＩＩ線で切断した場合の乾式壁の部分断面図である。
【図３】本発明の実施の形態に係る乾式壁のスタッドの配置例を示す横断面図である。
【図４】本発明の実施の形態の乾式壁において、天井部分における音の伝搬イメージを示す概念図である。
【図５】本発明の実施の形態１に係るランナー固定具を説明するための図である。
【図６】本発明の実施の形態１に係るランナー固定具を示す斜視図である。
【図７】本発明の実施の形態１に係るランナー固定具を示す断面図である。
【図８】本発明の実施の形態１に係るランナー固定具を示す上面図である。
【図９】本発明の実施の形態１において、１つの下側ランナーをランナー固定具のランナー保持部分に挿入した場合の理想状態を示す模式図である。
【図１０】本発明の実施の形態１において、１つの下側ランナーをランナー固定具のランナー保持部分に挿入した場合の問題点を説明するための模式図である。
【図１１】本発明の実施の形態１に係るランナー固定構造を部分的に示す模式図である。
【図１２】本発明の実施の形態１に係る固定補助具の正面図である。
【図１３】本発明の実施の形態１に係る固定補助具の側面図である。
【図１４】本発明の実施の形態１に係る固定補助具の底面図である。
【図１５】本発明の実施の形態１に係るランナー固定構造を示す斜視図である。
【図１６】本発明の実施の形態１の変形例に係る固定補助具を示す斜視図である。
【図１７】本発明の実施の形態１の変形例に係る固定補助具を示す正面図である。
【図１８】本発明の実施の形態１の変形例において、固定補助具の内側から見た場合のランナー固定構造を模式的に示す図である。
【図１９】本発明の実施の形態１の変形例に係る固定補助具の設置方法を模式的に示す図である。
【図２０】本発明の実施の形態２に係る固定補助具を示す斜視図である。
【図２１】本発明の実施の形態２に係るランナー固定構造を部分的に示す斜視図である。
【図２２】本発明の実施の形態２に係るランナー固定構造を部分的に示す模式断面図である。
【図２３】本発明の実施の形態２に係る固定補助具の設置方法を模式的に示す図である。
【図２４】本発明の実施の形態３に係る固定補助具を示す斜視図である。
【図２５】本発明の実施の形態３に係るランナー固定構造を部分的に示す斜視図である。
【図２６】本発明の実施の形態４に係る乾式壁の構造を示す縦断面図である。
【図２７】本発明の実施の形態４に係るランナー固定構造を示す断面図である。
【発明を実施するための形態】
【００２４】
本発明の実施の形態について図面を参照しながら詳細に説明する。なお、図中同一または相当部分には同一符号を付してその説明は繰返さない。
【００２５】
＜実施の形態１＞
本実施の形態では、特願２０１３−１４８７８８号出願において提案されたランナー固定具を利用して、乾式壁に用いられる上側および下側のランナーを、建物の躯体部（たとえば梁）に固定する。このランナー固定具は、取付け場所ごとに、２つのランナーを躯体部に固定する構造を有している。
【００２６】
まず、本実施の形態に係るランナー固定構造の説明に先立ち、このランナー固定具の前提となる、ランナー並走タイプの乾式壁について簡単に説明する。このような乾式壁の構造については、特願２０１２−２６２４４１号として出願済である。
【００２７】
（乾式壁について）
本実施の形態に係る乾式壁は、共同住宅、長屋および寄宿舎等の住戸が連続する建築物における界壁（戸境壁）、あるいは、防音室等の高遮音性が求められる間仕切り壁が想定される。このような乾式壁は、隣り合う空間（部屋）を仕切るために配置される。本実施の形態において、隣り合う空間を仕切る仮想的な面を「仕切り面」といい、横断面において隣り合う空間を仕切る仮想的な線を「仕切り線」という。また、本実施の形態において、仕切り面と直交する、乾式壁の厚み方向を「表裏方向」という。
【００２８】
図１〜図４を参照して、本発明の実施の形態１に係る乾式壁の構造について説明する。
【００２９】
図１は、本実施の形態に係る乾式壁１の構造を示す縦断面図である。図２は、図１のＩＩ−ＩＩ線で切断した場合の乾式壁１の部分断面図である。なお、図１および２において、紙面右側を第１空間、紙面左側を第２空間として説明する。また、図２における仮想線Ａ１は、仕切り線を示し、矢印Ａ２は、表裏方向を示している。
【００３０】
図１および図２を参照して、乾式壁１は、仕切り面に沿って配置される基礎部材２と、基礎部材２の一方面側および他方面側にそれぞれ固定される面部材４とを備えている。
【００３１】
基礎部材２は、第１空間側に間隔をおいて配置される複数のスタッド２１と、第２空間側に間隔をおいて配置される複数のスタッド２２とを含む。これらのスタッド２１および２２は、それぞれ、第１空間側および第２空間側において、直線状に整列している。各スタッド２１，２２は、鋼製であり、横断面の形状は、たとえば短辺が４０〜４５ｍｍ、長辺が６０〜６５ｍｍの略長方形状である。なお、本実施の形態において、スタッド２１の第１空間側の面およびスタッド２２の第２空間側の面、すなわち面部材４と接する側の側面を、「表面」という。また、スタッド２１の第２空間側の面およびスタッド２２の第１空間側の面、すなわち表面の反対側の側面を、「裏面」という。
【００３２】
基礎部材２は、また、複数のスタッド２１それぞれの軸方向両端を抱え込むように配置される一対のランナー３１，３３と、複数のスタッド２２それぞれの軸方向両端を抱え込むように配置される一対のランナー３２，３４とを含む。第２空間側のランナー３２，３４は、表裏方向において、第１空間側のランナー３１，３３とは所定の隙間を有して配置されている。
【００３３】
このように、本実施の形態では、取り付け場所ごとに、表裏方向に独立して２つのランナーが設けられている。したがって、図４に示されるように、一方側の空間において発生した音Ｓは、たとえば天井側においても、ランナー３１，３２間の隙間３において遮断され、他方側の空間への伝搬を回避することができる。その結果、本実施の形態における乾式壁１によれば、各取付け場所に１つのランナーが設けられた一般的な遮音壁（図２０）よりも高遮音性の要求を満たすことができる。
【００３４】
ここで、図２および図３を参照して、複数のスタッド２１，２２の配置例について説明する。図３は、本発明の実施の形態１に係る乾式壁１のスタッド２１，２２の配置例を示す図であり、表裏方向に切断した場合の乾式壁１の断面図である。
【００３５】
一般的な乾式壁では、各スタッドは強軸配置されるが、本実施の形態において、各スタッド２１，２２は、弱軸配置されている。つまり、各スタッド２１，２２は、その短辺と面部材４に対して直交する方向（表裏方向）とが平行となるように配置されている。各スタッド２１，２２は、遮音性を考慮すると、閉鎖断面の筒状部材とするよりも、一方の長辺（裏側）が開口を有する開放断面の部材とすることが望ましい。一方で、本実施の形態では、スタッド２１，２２が弱軸配置であるため、開放断面のスタッドは、壁の強度を担保できる範囲でのみ、すなわち部分的に、取り入れられることが望ましい。たとえば、第１空間および第２空間それぞれの部屋の種類（台所、リビングなど）に応じて、特に強度を必要とする空間側のスタッドのみを開放断面としてもよい。
【００３６】
このように、本実施の形態では、スタッド２１，２２が弱軸配置される。そのため、スタッド２１とスタッド２２との間の表裏方向の間隔Ｌ２（図２）をたとえば１０ｍｍとした場合、本実施の形態では、対向する面部材４間の距離、すなわち基礎部材２の厚みＬ１（図３）は、１００ｍｍ程度である。このように、本実施の形態によれば、取り付け場所ごとに表裏方向に独立して２つのランナーを設けても、基礎部材２の厚みＬ１が増大してしまうことを回避できる。
【００３７】
なお、第１空間側のスタッド２１と第２空間側のスタッド２２との間の隙間Ｌ２は、たとえば５ｍｍ以上１５ｍｍ以下の範囲で定められることが望ましい。この間隔の下限値は、少なくとも、第１空間側のランナー３１（３３）と第２空間側のランナー３２（３４）とが表裏方向に隙間を有し得る値であり、上限値は、基礎部材２間の厚みを考慮した値である。ランナー３２，３４（３１，３３）間の隙間は、壁全体の厚みやランナーの固定方法などに応じて定められてよい。
【００３８】
複数のスタッド２１，２２は、また、対向する面部材４間において千鳥状に配置されている。つまり、隣接するスタッド２１およびスタッド２２が、表裏方向に重ならないように互い違いに配置されている。なお、本実施の形態では、表裏方向においてスタッド２１，２２間に空間（隙間Ｌ２）があるため、スタッド２１およびスタッド２２は、表裏方向に少なくとも一部重なっていてもよいし、完全に重なっていてもよい。
【００３９】
複数のスタッド２１は、仕切り線Ａ１に沿って所定ピッチで配置されている。複数のスタッド２２は、柱５１を中心として、仕切り線Ａ１に沿って所定ピッチで配置されている。柱５１の第２空間側には、石膏ボード４１を貼り付ける下地５２として、たとえばベニヤ板が配置されている。また、各列（第１空間側または第２空間側）において、隣り合うスタッド２１（２２）間には、吸音材５３として、たとえばグラスウールが設けられている。これにより、スタッド２１，２２の裏面側に吸音材５３が密着されるため、一方側の空間から発生した音が吸音材５３で吸音され、遮音性が高められる。
【００４０】
なお、本実施の形態では、スタッド２１，２２が弱軸配置であるため、壁の強度を確保するために、スタッドが強軸配置された一般的な乾式壁よりも、各列において、スタッドの本数を多く設けてもよい。その場合、一部分においてのみ、スタッドを配置するピッチを小さくしてもよい。たとえば、第１空間および第２空間それぞれの部屋の種類に応じて、特に強度を必要とする空間側のピッチを、他方よりも小さくしてもよい。
【００４１】
図１および図３を参照して、面部材４は、各々、基礎部材２側に配置される石膏ボード４１と、空間側に露出して配置される強化石膏ボード４２とで構成されていてよい。強化石膏ボード４２は、耐火性能を強化するために、ガラス繊維等が混入された石膏ボード（網入り強化石膏ボード）である。強化石膏ボード４２は、耐火性能の向上のため、石膏ボード４１の厚みよりも大きいことが望ましい。具体的には、石膏ボード４１の厚みは、たとえば９．５ｍｍであり、強化石膏ボード４２の厚みは、たとえば１５ｍｍである。
【００４２】
以上説明した乾式壁１は、その上下端部それぞれが、建物の躯体部としての、梁１１，１２によって支えられている。梁１１，１２は、たとえばＨ型鋼である。図１のように、乾式壁１の上端部および下端部がそれぞれ梁１１，１２に支えられる場合、上側のランナー３１，３２が、天井側の梁１１に固定され、下側のランナー３３，３４が、床側の梁１２に固定される。その際に、たとえば特願２０１３−１４８７８８号として出願済のランナー固定具が用いられる。
【００４３】
（ランナー固定具について）
ランナー固定具の構造については、上側のランナー３１，３２を天井側の梁１１に固定する場合を例にして説明する。図５には、本発明の実施の形態１に係るランナー固定具１３を用いて、上側のランナー３１，３２を梁１１に固定する場合のランナー固定構造が示されている。図６〜図８は、それぞれ、本発明の実施の形態１に係るランナー固定具１３を示す斜視図、断面図および上面図である。図７には、図６に示すＶＩＩ−ＶＩＩ線に沿って表裏方向に切断した場合のランナー固定具１３の断面が示されている。
【００４４】
図１および図５を参照して、ランナー３１は、スタッド２１の上端面と当接し、水平に配置されるベース部（上壁）３１０と、ベース部３１０の両端部より下方に延びる一対の側壁（以下「鍔部」という）３１１，３１２とを有している。同様に、ランナー３２は、スタッド２２の上端面と当接し、水平に配置されるベース部（上壁）３２０と、ベース部３２０の両端部より下方に延びる一対の鍔部３２１，３２２とを有している。
【００４５】
これらのランナー３１，３２は、ランナー固定具１３によって、天井側の梁１１に固定されている。複数のランナー固定具１３が、ランナー３１，３２の延びる方向に沿って、間隔をおいて配置される。ランナー固定具１３は、同方向において隣り合うスタッド間に、スタッドと接しないように配置されることが望ましい。
【００４６】
図５〜図８を参照して、ランナー固定具１３は、係止部材６と保持部材７とを含む。係止部材６は、ランナー３１，３２のベース部３１０，３２０に隣接する、梁１１のフランジ１１０に係止される。フランジ１１０は、ウェブ１１１の下端に配置される水平材である。保持部材７は、係止部材６と連結され、ランナー３１，３２を、表裏方向に間隔をあけた状態で保持する。
【００４７】
より具体的には、係止部材６は、フランジ１１０の表裏方向両端部を挟持するために、取付部６１，６４と、把持部６２，６５と、押圧爪部６３，６６とを含む。取付部６１，６４は、略矩形形状の板材であり、後述する保持部材７の板状部７０の上面に固定されている。取付部６１は、第１空間側に配置され、取付部６４は、第２空間側に配置される。把持部６２，６５は、取付部６１，６４の表裏方向表側端縁からそれぞれ上方に起立する。把持部６２，６５は、フランジ１１０の表裏方向両端面に当接され、フランジ１１０を左右方向に挟み込む。押圧爪部６３，６６は、把持部６２，６５の上端縁側において、表裏方向裏側に突出するように屈曲している。押圧爪部６３，６６は、フランジ１１０の上面１１０ａを上から押圧固定する。
【００４８】
なお、本実施の形態では、係止部材６は、梁１１のフランジ１１０を挟み込むことで、梁１１に係止される構成としているが、図５に示される梁１１の貫通穴１１２，１１３を利用して梁１１に係止される構成であってもよい。ランナー固定具１３によって下側のランナー３３，３４を梁１２に固定する場合にも同様に、係止部材６は、梁１２のフランジ１２０および貫通穴１２２，１２３のいずれに係止されてもよい。
【００４９】
保持部材７は、板状部７０と、ランナー３１を把持する１対の把持部７１０，７３０と、ランナー３２を把持する一対の把持部７５０，７７０とを有する。板状部７０は、梁１１のフランジ１１０とランナー３１，３２との間に配置される。板状部７０は、ランナー３１の表側端縁からランナー３２の表側端縁まで延び、たとえば、表裏方向を長辺とする略矩形形状の板材である。板状部７０には、長辺に沿って溝部８５，８６が形成されている。これにより、強度向上が図られる。板状部７０の上面には、上述の取付部６１，６４が固定されている。板状部７０の下方側に、２対の把持部７１０，７３０，７５０，７７０が連結されている。
【００５０】
一対の把持部７１０,７３０は、ランナー３１の鍔部３１１，３１２を、それぞれの外側から抱え込むように把持する。把持部７１０,７３０は、下端側へいくにつれて互いに近接するように傾斜して延びている。把持部７１０は、ランナー３１の表裏方向表側の鍔部３１１の外側に配置される側面部７１と、この側面部７１の下端縁部（自由端側）が内側斜め上方に返された折り返し部７２とを含む。把持部７３０は、ランナー３１の表裏方向裏側の鍔部３１２の外側に配置される側面部７３と、この側面部７３の下端縁部（自由端側）が内側斜め上方に返された折り返し部７４とを含む。把持部７１０，７３０がこのように構成されることで、それぞれの先端部に係合溝７２ａ，７４ａが形成される。
【００５１】
一対の把持部７５０,７７０は、ランナー３２の鍔部３２１，３２２を、それぞれの外側から抱え込むように把持する。把持部７５０,７７０は、下端側へいくにつれて互いに近接するように傾斜して延びている。把持部７５０は、ランナー３２の表裏方向表側の鍔部３２１の外側に配置される側面部７５と、この側面部７５の下端部（自由端側）において内側斜め上方に返された折り返し部７６とを含む。把持部７７０は、ランナー３２の表裏方向裏側の鍔部３２２の外側に配置される側面部７７と、この側面部７７の下端部（自由端側）において内側斜め上方に返された折り返し部７８とを含む。把持部７５０，７７０がこのように構成されることで、それぞれの先端部に係合溝７６ａ，７８ａが形成される。
【００５２】
本実施の形態では、板状部７０と、外側に位置する把持部７１０，７５０とは、たとえば１枚の鋼板が折り曲げ加工されて形成されている。また、内側に位置する把持部７３０，７７０の上端同士は、板状部７０の下面に固定された連結部７９を介して連結されている。これらの把持部７３０，７７０および連結部７９も、たとえば１枚の鋼板が折り曲げ加工されて形成されている。
【００５３】
保持部材７がこのように形成されることで、ランナー３１は、保持部材７の側面部７１，７３が押し広げられた状態で側面部７１，７３間に嵌入され、嵌入された後は、側面部７１，７３の復元力により左右方向に挟持される。ランナー３１の鍔部３１１，３１２の下端は、それぞれ、折り返し部７２，７４（係合溝７２ａ，７４ａ）によって支えられる。同様に、ランナー３２は、保持部材７の側面部７５，７７が押し広げられた状態で側面部７５，７７間に嵌入され、嵌入された後は、側面部７５，７７の復元力により左右方向に挟持される。ランナー３２の鍔部３２１，３２２の下端は、それぞれ、折り返し部７６，７８（係合溝７６ａ，７８ａ）によって支えられる。
【００５４】
ランナー固定具１３には、板状部７０の上側および下側に、それぞれバネ部材が設けられている。本実施の形態では、上側のバネ部材として、たとえば２つの板バネ８１，８２が設けられている。板バネ８１，８２は、取付部６１，６４の内側端縁と連結され、取付部６１，６４より斜め上方に延びている。したがって、梁１１のフランジ１１０の上面１１０ａは、押圧爪部６３，６６の復元力によって下側に押圧され、その下面１１０ｂは、板バネ８１，８２の復元力によって上側に押圧される。これにより、梁１１のフランジ１１０は上下方向にも挟持される。
【００５５】
下側のバネ部材としては、ランナー３１，３２を板状部７０から遠ざける方向に付勢する、たとえば２つの板バネ８３，８４が設けられている。板バネ８３，８４は、取付部６１，６４の表裏方向裏側端縁と連結され、板状部７０に形成された穴８７，８８を貫通して斜め下方に延びている。つまり、板バネ８３は、ランナー３１側に配置され、板バネ８４は、ランナー３２側に配置されている。そのため、ランナー３１の鍔部３１１，３１２の下端が折り返し部７２，７４に支えられるとともに、ランナー３１のベース部３１０の上面が板バネ８３で押圧された状態で固定される。したがって、ランナー３１は、板バネ８３の復元力により下側に押圧されるとともに、折り返し部７２，７４により上側方向に支持される。ランナー３２も同様に、板バネ８４の復元力により下側に押圧されるとともに、折り返し部７６，７８により上側方向に支持される。これにより、ランナー３１，３２は、上下方向にも挟持される。
【００５６】
また、ランナー固定具１３が、これら板バネ８１〜８４を有することで、梁１１の厚みや、ランナー３１，３２の垂直方向長さが異なる場合でも、柔軟に対応することができる。なお、板バネ８１，８２が上方側に延び、板バネ８３，８４が下方側に延びていれば、これらの向きは特に限定されない。
【００５７】
ランナー固定具１３を上述のような構造とすることで、現場において、ランナー固定具１３をワンタッチで梁１１のフランジ１１０に固定（係止）することができる。また、複数のランナー固定具１３を先にフランジ１１０に固定しておくことで、ランナー３１，３２をボルトレスで固定することができるとともに、ランナー３１，３２の位置決めを容易にすることができる。また、その結果、現場工程をスムーズに進めることができる。
【００５８】
また、本実施の形態では、複数のランナー固定具１３が、ランナー３１，３２の延びる方向に沿って間隔をおいて配置される。そのため、隙間を有して並列するランナー３１，３２を一括して保持するランナー固定具１３が配置されても、一般的な乾式壁よりも遮音性を十分に高めることができる。
【００５９】
なお、本実施の形態では、保持部材７側に、ランナー３１の表側端縁からランナー３２の表側端縁まで延びる板材（板状部７０）を設けたが、係止部材６側に、このような板材を設けてもよい。つまり、係止部材６の２つの取付部６１，６４が１枚の板材として一続きに形成されていてもよい。この場合、保持部材７の板状部７０は表裏方向に分割され、分割された板状部分を底面部７０１，７０２とする略逆Ｕ字形状の部材が、係止部材６の一続きの板材の下面に隙間を有して固定されていてもよい。
【００６０】
上述のように、上側のランナー３１，３２を梁１１に固定する場合、板バネ８３，８４によって、ランナー３１，３２の鍔部３１１，３１２，３２１，３２２の下端は、ランナー固定具１３の把持部７１０，７３０，７５０，７７０に形成された係合溝７２ａ，７４ａ，７６ａ，７８ａに押し付けられる。そのため、ランナー固定具１３によって、ランナー３１，３２を安定的に梁１１に固定することができる。
【００６１】
これに対し、ランナー固定具１３によって下側のランナー３３，３４を梁１２に固定する場合には、ランナー固定具１３のみによって適切に固定することができない場合がある。このことについて、図９および図１０を参照して説明する。なお、このように、ランナー固定具１３を下側のランナー３３，３４に用いる場合、ランナー固定具１３についての上記説明のうち、「ランナー３１」および「ランナー３２」の記載をそれぞれ「ランナー３３」および「ランナー３４」に読み替え、かつ、上下方向の記載を逆に読み替えればよい。また、図６等に示されるランナー固定具１３が、係止部材６によって梁１２に係止されているものとする。
【００６２】
ここでは、説明を容易にするために、下側の２つのランナー３３，３４のうちたとえば第２空間側のランナー３４と、ランナー固定具１３の保持部材７のうちランナー３４を固定する部分（以下「ランナー保持部分」という）７００との関係のみを示す。図９および図１０は、それぞれ、本実施の形態において、ランナー３４をランナー固定具１３のランナー保持部分７００に挿入した場合の理想状態と問題点とを示す模式図である。
【００６３】
図９を参照して、ランナー３４がランナー保持部分７００に挿入された場合、理想的には、ランナー３４の底壁であるベース部３４０が、ランナー固定具１３の板バネ８３によって上方に押し上げられている。この理想状態においては、上側のランナー３１，３２を固定する場合と同様に、ランナー３４の鍔部３４１，３４２の上端部は、把持部７１０，７３０上端の係合溝７２ａ、７４ａ内に強固に押し付けられている。そのため、ランナー３４は、把持部７１０，７３０によって適切に把持されている。
【００６４】
しかし、実際には、板バネ８３には、ランナー３４の自重だけでなく、ランナー３４上に載置されるスタッド２２の重み、および、スタッド２２の表面に貼り付けられる面部材４の重みの両方が、板バネ８３に掛かる。そうすると、板バネ８３は、その付勢力（復元力）を維持することができず、図１０に示すように、ランナー３４は沈み込んでしまう。そうすると、ランナー固定具１３の一対の把持部７１０，７３０の上端の係合溝７２ａ，７４ａに、ランナー３４の側壁３４１，３４２の上端部が係合されない状態となる。その結果、ランナー３４がランナー固定具１３から離脱してしまうことがある。
【００６５】
特に、本実施の形態のように、ランナー並走タイプの乾式壁１においては、ランナー３４の鍔部３４１，３４２のうち、表側に位置する鍔部３４１の方にのみ面部材４が設けられる。そのため、施工段階で面部材４が貼り付けられると、ランナー３４の鍔部３４１側の方に大きな荷重が掛かるため、図１０において反時計方向に傾いてしまい、ランナー３４がランナー固定具１３（ランナー保持部分７００）から外れるという不具合が起こる。
【００６６】
そこで、本実施の形態では、下側のランナー３４がランナー固定具１３（ランナー保持部分７００）から離脱することを防止するために、固定補助具を用いる。
【００６７】
（固定補助具を用いたランナー固定構造について）
図１１は、本実施の形態に係るランナー固定構造を部分的に示す模式図である。図１２〜図１４は、それぞれ、固定補助具９を示す正面図、側面図および底面図である。図１５は、本実施の形態に係るランナー固定構造を示す斜視図である。
【００６８】
図１１および図１５に示されるように、ランナー固定具１３の配置位置において、ランナー３４上に固定補助具９が配置されている。固定補助具９は、図１２に示されるように、略Ｕ字状（コの字状）断面を有しており、底壁部９０と、一対の側壁部９１，９２とを含む。底壁部９０は、ランナー３４のベース部３４０の上面に沿って位置する。一対の側壁部９１，９２は、ランナー３４の一対の鍔部３４１，３４２の内面に沿って位置する。なお、固定補助具９を上側のランナー３１，３２の固定に用いる場合であっても、底壁部９０から遠い方を、固定補助具９の上側と定める。
【００６９】
底壁部９０の下面（裏面）には、ランナー３４の底壁３４０の上面に当接し、固定補助具９をランナーから遠ざける方向に付勢するバネ部材として、たとえば２つの板バネ９３，９４が設けられている。板バネ９３，９４は、底壁部９０の表裏方向略中央位置に設けられており、下端側へいくにつれて互いに遠ざかるように傾斜して延びている。固定補助具９の高さは、ランナー固定具１３の各把持部７１０，７３０の上下方向長さに略等しい。
【００７０】
固定補助具９をランナー３４上に配置する際には、固定補助具９を上方から押え付けるようにして嵌め込む。図１５に示されるように、固定補助具９上には何も載置されない。そのため、板バネ９３，９４は、固定補助具９自身を上方に付勢し、ランナー固定具１３の一対の把持部７１０，７３０と、固定補助具９の一対の側壁部９１，９２の上端部９１０，９２０との係合状態を維持する。つまり、この固定補助具９の側壁部９１，９２の上端部９１０，９２０が、把持部７１０，７３０に抱え込まれ、係合溝７２ａ，７４ａに係合される係合部として機能する。固定補助具９は、板バネ９３，９４の復元力によって、その上端部９１０，９２０が係合溝７２ａ，７４ａ内に強固に押し付けられるように構成されてもよい。
【００７１】
このような固定補助具９がランナー３４上に被せられることで、ランナー３４がランナー固定具１３（ランナー保持部分７００）から離脱することを防止することができる。したがって、本実施の形態によれば、下側のランナー３４を梁１２に固定する場合には、ランナー固定具１３と固定補助具９とを含むランナー固定ユニットを用いることで、安定的にランナーを固定することができる。なお、図１５に示されるように、ランナー３３上にも固定補助具９が被せられることで、ランナー固定具１３からの両ランナー３３，３４の離脱が防止される。
【００７２】
なお、固定補助具９の形状は、上記形状に限定されない。固定補助具９の変形例を以下に示す。
【００７３】
（固定補助具の変形例）
図１６および図１７は、それぞれ、本発明の実施の形態１の変形例に係る固定補助具９Ａを示す斜視図および正面図である。
【００７４】
図１６および図１７を参照して、固定補助具９Ａは、底壁部９０Ａと、一対の側壁部９１Ａ，９２Ａとに加え、一対の傾斜壁９５，９６をさらに含む。傾斜壁９５，９６は、側壁部９１Ａ，９２Ａの下端縁と、底壁部９０Ａの表裏方向両端との間に形成されている。このように、本変形例では、上記実施の形態の板バネ９３，９４に代えて傾斜壁９５，９６が設けられている。
【００７５】
図１８には、固定補助具９Ａが取り付けられた状態における、固定補助具９Ａの側壁部９１Ａの配置位置が示されている。なお、図１８には、図１５の矢印Ａ３で示す方向から見た場合のランナー固定構造が示されている。
【００７６】
図１７および図１８に示されるように、固定補助具９Ａの側壁部９１Ａの上端縁は、頂部９１１と、頂部９１１から下方へ向かって傾斜する傾斜部９１２，９１３とを含む形状を有していることが望ましい。側壁部９２Ａも同様に、その上端縁が、頂部９２１と、頂部９２１から下方へ向かって傾斜する傾斜部９２２，９２３とを含む形状を有していることが望ましい。取付け状態において、固定補助具９Ａの側壁部９１Ａ，９２Ａの頂部９１１，９２１が、把持部７１０，７３０の係合溝７２ａ，７４ａ内に当接される。なお、頂部９１１，９２１は、ともに、点状に形成されてもよいし、線状に形成されてもよい。
【００７７】
側壁部９１Ａ，９２Ａがこのような形状とされることで、固定補助具９Ａを、図１８に示す取付け位置に設置するに際し、図１９に示すように傾けて回転させるように滑り込ませて挿入することができる。つまり、ランナー３４が延びる方向においてランナー固定具１３の側方から、進行方向の傾斜部９１３（９２３）を、ランナー固定具１３の把持部７１０，７３０の端に当接させながら挿入することができる。あるいは、一旦、ランナー３４上の、ランナー固定具１３から離れた位置に固定補助具９Ａを傾けることなく載置し、ランナー固定具１３に向けてそのままスライドさせるようにして挿入することもできる。
【００７８】
＜実施の形態２＞
本実施の形態における固定補助具も略Ｕ字状断面を有しているが、取付け状態における固定補助具の向きが、上記実施の形態１とは異なる。以下に、本実施の形態に係るランナー固定構造について、実施の形態１と異なる部分のみ詳細に説明する。
【００７９】
図２０は、本発明の実施の形態２に係る固定補助具９Ｂを示す斜視図である。図２１および図２２は、それぞれ、本発明の実施の形態２に係るランナー固定構造を部分的に示す斜視図および模式断面図である。図２３は、本発明の実施の形態２に係る固定補助具の設置方法を模式的に示す図である。
【００８０】
図２０〜図２２を参照して、本実施の形態では、取付け状態において、固定補助具９Ｂは、その底壁部９０Ｂがランナー３４の一対の側壁３４１，３４２と直交するように、横向きに配置されている。この固定補助具９Ｂの一対の側壁部９１Ｂ，９２Ｂには、ランナー３４の側壁３４１，３４２に弾性的に接する板バネ部９１４，９２４がそれぞれ設けられている。板バネ部９１４，９２４は、側壁部９１Ｂ，９２Ｂより外側に向かって、斜め下方側（底壁部９０Ｂ側）へ延びている。
【００８１】
固定補助具９Ｂを図２１に示す取付け位置に設置するに際しては、まず、図２３の一点鎖線で示すように、ランナー固定具１３（ランナー保持部分７００）から離れた位置において、側壁部９１Ｂ，９２Ｂの上端部を下方に向けて、ランナー３４内に固定補助具９Ｂの大部分を挿入させる。その後、側壁部９１Ｂ，９２Ｂの上端部が進行方向前方となるように、固定補助具９Ｂを約９０度回転させ、ランナー固定具１３の位置までスライドさせる。望ましくは、固定補助具９Ｂの底壁部９０Ｂが、ランナー固定具１３の把持部７１０，７３０の端に突き当たる位置までスライドさせる。これにより、側壁部９１Ｂ，９２Ｂの側縁部９１５，９２５が、ランナー固定具１３の把持部７１０，７３０の係合溝７２ａ，７４ａに係合される。
【００８２】
本実施の形態では、固定補助具９Ｂを取付ける際に、ランナー３４の底壁３４０に押え付ける必要がないため、容易に固定補助具９Ｂを差し込むことができる。また、実施の形態１の変形例で示した固定補助具９Ａよりも、ランナー３４と接する面積が小さいため、固定補助具９Ｂをスムーズにスライドさせることができる。
【００８３】
なお、本実施の形態では、板バネ部９１４，９２４は、底壁部９０Ｂを下方とした場合に斜め下方側へ延びていることとしたが、これらは共に、取付け状態において、斜め下方側へ延びていてもよい。つまり、板バネ９１４，９２４は、底壁部９０Ｂを下方とした場合に斜め側方に延びていてもよい。このようにすることで、上述のように固定補助具９Ｂを回転させる必要がなくなるため、より容易に固定補助具をランナー３４内に差し込むことができる。
【００８４】
＜実施の形態３＞
本実施の形態においても、固定補助具は略Ｕ字状断面を有しているが、取付け状態における固定補助具の向きが、上記実施の形態１とは異なる。以下に、本実施の形態に係るランナー固定構造について、実施の形態１と異なる部分のみ詳細に説明する。
【００８５】
図２４は、本発明の実施の形態３に係る固定補助具９Ｃを示す斜視図である。図２５は、本発明の実施の形態３に係るランナー固定構造を部分的に示す斜視図である。
【００８６】
図２４および図２５を参照して、本実施の形態では、取付け状態において、固定補助具９Ｃは、その底壁部９０Ｃがランナー３４の一対の側壁３４１，３４２と直交するように、横向きに配置されている。この固定補助具９Ｃの一方の側壁部９１Ｃは、ランナー３４の底壁３４０上に位置し、他方の側壁部９２Ｃは、側壁部９１Ｃに対して略平行に配置されている。側壁部９２Ｃの側縁部には、ランナー固定具１３の把持部７１０，７３０内に嵌合されるように立ち上がる翼状部９７，９８が設けられている。翼状部９７，９８は、他方の側壁部９２Ｃの各側縁部より、斜め方向外側に向かって延びている。
【００８７】
本実施の形態では、底壁部９０Ｃが進行方向前側となるように、固定補助具９Ｂをランナー３４上に挿入し、そのままランナー固定具１３の位置までスライドさせる。これにより、側壁部９１Ｃ，９２Ｃの翼状部９７，９８が、少なくともその一部分において、ランナー固定具１３の把持部７１０，７３０の係合溝７２ａ，７４ａに係合される。
【００８８】
なお、底壁部９０Ｃには、固定補助具９Ｃの移動の際に底壁部９０Ｃを移動方向に引き寄せることができるように、孔部９００が設けられていてもよい。
【００８９】
また、図示されるように、翼状部９７，９８には、側方（すなわち、取付け状態において上側）に突出した頂部９８０が設けられていてもよい。頂部９７０，９８０は、たとえば、翼状部９７，９８の上端部側（進行方向後側）に設けられている。この場合、ランナー固定具１３の把持部７１０，７３０には、頂部９７０，９８０を受入れる係合孔７１０ａ，７３０ａが設けられる。これにより、固定補助具９Ｃの位置決めおよび固定が容易になる。
【００９０】
本実施の形態においても、固定補助具９Ｃを取付ける際に、ランナー３４の底壁３４０に押え付ける必要がないため、容易に固定補助具９Ｃを差し込むことができる。また、翼状部９７，９８は、ランナー３４の側壁３４１，３４１に殆ど接しないように形成されているため、固定補助具９Ｃをスムーズにスライドさせることができる。
【００９１】
＜実施の形態４＞
上記各実施の形態では、固定補助具は、ランナー並走タイプのランナー固定具に取り付けられた。これに対し、本実施の形態では、固定補助具は、ランナー並走タイプではないランナー固定具に取り付けられる。このランナー固定具は、たとえば、上記特許第４２４１３２２号公報（特許文献１）に示される形状を有している。以下に、本実施の形態に係るランナー固定構造について、実施の形態１との相違点のみ詳細に説明する。
【００９２】
図２６は、本発明の実施の形態４に係る乾式壁１Ａの構造を示す縦断面図である。図２７は、本発明の実施の形態４に係るランナー固定構造を示す断面図である。
【００９３】
図２６を参照して、本実施の形態では、乾式壁１Ａは、上下に１つずつランナー３２Ａ，３４Ａを含んでいる。下側のランナー３４Ａは、仕切り面に沿って配置されている複数のスタッド２１Ａ，２２Ａの下端部を、下方から抱えている。本実施の形態では、第１空間側のスタッド２１Ａと第２空間側のスタッド２２Ａとが、表裏方向に一部重なるように、千鳥状に配置されている。また、各スタッド２１Ａ，２２Ａは強軸配置されている。そのため、ランナー３４Ａの底壁３４０Ａの表裏方向長さ（両鍔部間）は、実施の形態１のランナー３４の底壁３４０の表裏方向長さの２倍程度である。なお、スタッド２１Ａの裏面側、および、スタッド２２Ａの裏面側の空間には、たとえばスペーサ３５が挿入されている。
【００９４】
このような乾式壁１Ａのランナー３４Ａを梁１２に固定する場合、図２７に示されるようなランナー固定具１３Ａが用いられる。ランナー固定具１３Ａは、実施の形態１のランナー固定具１３とは保持部材の形状のみが異なる。
【００９５】
図２７を参照して、ランナー固定具１３Ａの保持部材７Ａは、１つのランナー３４Ａを保持するだけでよいため、図７等に示される中央の把持部７３０，７７０を有さない形状である。つまり、保持部材７Ａは、板状部７０と、１つのランナー３４Ａの鍔部３４１，３４２を外側から把持する１対の把持部７１０，７５０とを有している。この場合、板状部７０より斜め上方に延びる板バネ８３，８４は、ともに、ランナー３４Ａの幅広のベース部３４０Ａに当接される。
【００９６】
本実施の形態のような乾式壁１Ａにおいても、板バネ８３，８４は、ランナー３４Ａの自重と、ランナー３４Ａに荷重されるスタッド２１Ａ，２２Ａおよび面部材４の重みとにより、ランナー３４Ａのベース部３４０によって押え付けられる。したがって、この場合も同様に、ランナー３４Ａの鍔部３４１，３４２の先端部が、ランナー固定具１３Ａの把持部７１０，７５０それぞれの係合溝７２ａ，７６ａから外れてしまう。本実施の形態では、実施の形態１と異なり、ランナー３４Ａの鍔部３４１，３４２の外側それぞれに面部材４が配置されるため、完成状態においては、ランナー３４Ａの一方の鍔部側に片寄って荷重が加えられることはない。しかしながら、施工段階においては、第１空間側および第２空間側に順に面部材４が取付けられる。そのため、一方側にのみ面部材４が取り付けられた状態においては、その荷重がランナー３４Ａの一方の鍔部側に片寄って加えられる。したがって、本実施の形態のように、１つのランナー３４Ａのみを梁１２に固定する場合にも、ランナー３４Ａがランナー固定具１３Ａから外れてしまうケースが起こり得る。
【００９７】
そこで、本実施の形態においても、ランナー固定具１３Ａの配置位置と重なる位置に、固定補助具９Ｄを配置している。固定補助具９Ｄの底壁部９０Ｄの幅（表裏方向長さ）が、実施の形態１で示した固定補助具９の底壁部９０よりも広いだけで、他は同様である。したがって、本実施の形態においても、固定補助具９Ｄがランナー３４Ａ上に取り付けられると、固定補助具９Ｄの板バネ９３，９４によって、固定補助具９Ｄ自身が上方に付勢され、ランナー固定具１３Ａの一対の把持部７１０，７５０と、固定補助具９Ｄの一対の側壁部９１，９２の上端部９１０，９２０との係合状態が維持される。その結果、ランナー３４Ａがランナー固定具１３Ａの保持部材７Ａから外れてしまうことを防止することができる。
【００９８】
なお、上記各実施の形態では、ランナー固定具の保持部材には、板バネ８３，８４が設けられることとしたが、上記固定補助具を用いることを前提とする場合、板バネ８３，８４がなくてもよい。ランナー固定具が板バネ８３，８４を有さない場合、上側のランナー３１，３２に対しても、各実施の形態に係る固定補助具を用いてもよい。これにより、梁１１に、上側のランナーを安定的に固定することができる。
【００９９】
また、各実施の形態では、ランナーを建物の梁に固定する構造を示したが、建物の基礎に固定するものであってもよい。その場合、ランナー固定具は、係止部材を有さなくてもよい。たとえば、ランナー固定具は、保持部材の板状部の略中央位置を貫通するボルト等の釘材によって、基礎に固定されてもよい。
【０１００】
また、上述の各実施の形態および変形例を、適宜組み合わせてもよい。
【０１０１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１０２】
１，１Ａ  乾式壁、２  基礎部材、４  面部材、６  係止部材、７，７Ａ  保持部材、９，９Ａ，９Ｂ，９Ｃ，９Ｄ  固定補助具、１１，１２  梁、１３，１３Ａ  ランナー固定具、２１，２２，２１Ａ，２２Ａ  スタッド、３１，３２，３３，３４，３２Ａ，３４Ａ  ランナー、６１，６４  取付部、６２，６５  把持部、７１０，７３０，７５０，７７０  把持部、６３，６６  押圧爪部、７０  板状部、７１，７３，７５，７７  側面部、７２，７４，７６，７８  折り返し部、７２ａ，７４ａ，７６ａ，７８ａ  係合溝、７９  連結部、８１，８２，８３，８４，９３，９４  板バネ、８５，８６  溝部、８７，８８  穴、９０，９０Ａ，９０Ｂ，９０Ｃ，９０Ｄ  底壁部、９１，９２，９１Ａ，９２Ａ，９１Ｃ，９２Ｃ  側壁部、９５，９６  傾斜壁、９７，９８  翼状部、１１０，１２０  フランジ、１１２，１１３，１２２，１２３  貫通穴、３１０，３２０，３４０，３４０Ａ  ベース部、３１１，３１２，３２１，３２２，３４１，３４２  鍔部（側壁）、７００  ランナー保持部分、７０１，７０２  底面部、９１０，９２０  上端部、９１１，９２１  頂部、９１２，９１３，９２２，９２３  傾斜部、９１４，９２４  板バネ部。
【図１】
2015040428.tif 000003
【図２】
2015040428.tif 000004
【図３】
2015040428.tif 000005
【図４】
2015040428.tif 000006
【図５】
2015040428.tif 000007
【図６】
2015040428.tif 000008
【図７】
2015040428.tif 000009
【図８】
2015040428.tif 000010
【図９】
2015040428.tif 000011
【図１０】
2015040428.tif 000012
【図１１】
2015040428.tif 000013
【図１２】
2015040428.tif 000014
【図１３】
2015040428.tif 000015
【図１４】
2015040428.tif 000016
【図１５】
2015040428.tif 000017
【図１６】
2015040428.tif 000018
【図１７】
2015040428.tif 000019
【図１８】
2015040428.tif 000020
【図１９】
2015040428.tif 000021
【図２０】
2015040428.tif 000022
【図２１】
2015040428.tif 000023
【図２２】
2015040428.tif 000024
【図２３】
2015040428.tif 000025
【図２４】
2015040428.tif 000026
【図２５】
2015040428.tif 000027
【図２６】
2015040428.tif 000028
【図２７】
2015040428.tif 000029